(57)【特許請求の範囲】
【請求項１】
シート状の写真感光材料を搬送しながら処理する処理装置本体と、写真感光材料を重ねた状態でトレー上に装填するために、処理装置本体の一側面に沿う回転軸をもつヒンジ部材によって上面を開放することが可能であり、写真感光材料をトレーから処理装置本体内へ供給するために、閉じたときに前記トレーの上方を覆う蓋体と、を備えた感光材料処理装置において、
前記蓋体及び処理装置本体への各ヒンジ部材の取付位置を前記回転軸が処理装置本体の他の側面に沿うような位置へそれぞれ選択的に変更可能に構成したことを特徴とする感光材料処理装置の感光材料装填機構。
【請求項２】
前記蓋の開閉方向の変更に関わらず蓋の配置向きを同じくしてなることを特徴とする請求項１に記載の感光材料処理装置の感光材料装填機構。
【請求項３】
前記ヒンジ部材が、前記蓋体の取付位置にネジ作用で固定される部材と、処理装置本体の取付位置に設けられた孔へ挿入するための前記ヒンジ部材から伸びる棒状部分と、からなることを特徴とする請求項１又は２に記載の感光材料装填機構。
【請求項４】
シート状の写真感光材料を重ねた状態でトレー上に装填するために、処理装置本体の一側面に沿う回転軸をもつヒンジ部材によって上面を開放することが可能であり、写真感光材料をトレーから処理装置本体内へ供給するために、閉じたときに前記トレーの上方を覆う蓋体、を備えた感光材料供給装置において、
前記蓋体及び処理装置本体への各ヒンジ部材の取付位置を前記回転軸が他の側面に沿うような位置へそれぞれ選択的に変更可能に構成したことを特徴とする感光材供給装置の感光材料装填機構。
【発明の詳細な説明】
【０００１】
【発明の属する技術分野】
本発明は、写真感光材料を感光材料処理装置、あるいはオートフィーダ等の感光材料供給装置における感光材料装填機構に関する。
【０００２】
【従来の技術及び発明が解決しようとする課題】
例えば、感光材料処理装置として挙げられるＸ−レイ用感材のような写真感光材料を処理する自動現像機では、感光材料としてのフィルムが、現像液、定着液、水洗水の各処理液で処理される。現像液、定着液、水洗水はそれぞれ、現像槽、定着槽、水洗槽の各処理槽に溜められ、それら処理槽は自動現像機内に収容されている。フィルムが、各処理液に順次に浸漬されて処理される。
【０００３】
このような自動現像機に別体のオートフィーダを装着すると、フィルムを感材供給トレーから１枚毎に取り出し、自動現像機へ自動的に供給することが可能になるのが普通である。
【０００４】
フィルムを重ねて入れた感材供給トレーをオートフィーダに装填すると、フィルムはオートフィーダによって感材供給トレーから１枚毎に取り出され、自動現像機へ挿入されて処理される。このようなオートフィーダの中には、上方が開放されている感材供給トレーをオートフィーダの一部にヒンジで開閉し得る蓋を開けて装填し、蓋を閉じてオートフィーダ内の遮光を図るものがある。
【０００５】
そのような自動現像機あるいはオートフィーダでは、蓋の開閉方向によって、オペレータが立つ側（オペレータ側）が決定される。重ねたフィルムを装填することを考えれば、オペレータ側から見て少なくとも蓋が奥側から手前側へ開くのは都合が悪い。特にヒンジ側がオペレータ側になると、フィルム装填がやりにくい。また、オペレータ側には少なくともオペレータが立てるスペースが必要であり、オペレータ側を壁に沿わせて装置を設置するようなことはしない。
【０００６】
本発明は、上記事情に鑑み、蓋の開閉方向を変えることにより、設置の向きの決定自由度を高める感光材料装填機構を提供することを目的とする。
【０００７】
【課題を解決するための手段】
請求項１に記載の本発明の感光材料装填機構は、
シート状の写真感光材料を搬送しながら処理する処理装置本体と、写真感光材料を重ねた状態でトレー上に装填するために、処理装置本体の一側面に沿う回転軸をもつヒンジ部材によって上面を開放することが可能であり、写真感光材料をトレーから処理装置本体内へ供給するために、閉じたときに前記トレーの上方を覆う蓋体と、を備えた感光材料処理装置において、
前記蓋体及び処理装置本体への各ヒンジ部材の取付位置を前記回転軸が処理装置本体の他の側面に沿うような位置へそれぞれ選択的に変更可能に構成したことを特徴とする。
請求項２に記載の本発明の感光材料装填機構は、請求項１の構成において、前記蓋の開閉方向の変更に関わらず蓋の配置向きを同じくしてなることを特徴とする。
【０００８】
請求項３に記載の本発明の感光材料装填機構は、請求項１又は２の構成において、
前記ヒンジ部材が、前記蓋体の取付位置にネジ作用で固定される部材と、処理装置本体の取付位置に設けられた孔へ挿入するための前記ヒンジ部材から伸びる棒状部分と、からなることを特徴とする。
【０００９】
請求項４に記載の本発明の感光材料装填機構は、
シート状の写真感光材料を重ねた状態でトレー上に装填するために、処理装置本体の一側面に沿う回転軸をもつヒンジ部材によって上面を開放することが可能であり、写真感光材料をトレーから処理装置本体内へ供給するために、閉じたときに前記トレーの上方を覆う蓋体、を備えた感光材料供給装置において、
前記蓋体及び処理装置本体への各ヒンジ部材の取付位置を前記回転軸が他の側面に沿うような位置へそれぞれ選択的に変更可能に構成したことを特徴とする。
ある。
【００１０】
上記構成によれば、蓋が開けられて感光材料がトレー上にその開放上部から装填され、装填後、蓋が閉められる。この装置本体は、内部に感光材料を処理液によって処理する処理液処理部等を遮光した状態で収容する箱体形状に形成されており、感光材料は、トレーから処理装置本体内へ供給され、処理装置本体内で処理液等による処理が行われる。
【００１１】
蓋の回転軸の位置は、処理装置本体の一側面に沿った位置と、これとは異なる他の側面に沿った位置とのいずれとすることもでき、それに応じて蓋の開閉方向が変わる。感光材料をトレー上へ装填する上でオペレータ側から見て少なくとも、蓋が奥側から手前側へ開くのは都合が悪い。蓋の開閉方向に応じて決定されるオペレータ側について、蓋の開閉方向を変えることにより、決定自由度を高めることができる。
【００１２】
オペレータ側を一旦、決定した後も、蓋の開閉方向を変えることにより、オペレータ側の変更が可能である。
【００１３】
オペレータ側が変更されてオペレータ側がいずれとなっても、蓋の開閉により自動的に感光材料供給装置（オートフィーダ）の運転を開始することができる。また、そのオペレータ側からコントローラにより表示確認することが可能である。
【００１４】
蓋の開閉方向を変えるための開閉手段としては、各種の手段が考えられるが、例えば、請求項３の構成では、ヒンジ部材の棒状部分が挿入される処理装置本体側の孔を変えることにより、簡単に蓋の開閉方向を変えることができる。
【００１５】
【発明の実施の形態】
以下、本発明に係る感光材料装填機構の一の実施の形態を図１乃至図６に基づき説明する。
【００１６】
図１に示すように、例えば、感光材料処理装置として挙げられるＸ−レイ用感材のような写真感光材料を処理する自動現像機の処理装置本体１０は、略箱体形状に形成されており、内部に現像槽１２、定着槽１４、水洗槽１６の各処理槽を備えている。現像槽１２、定着槽１４、水洗槽１６は、図１上で左側から右側に向けて順次に並設されている。
【００１７】
現像槽１２、定着槽１４、水洗槽１６にはそれぞれ、現像液、定着液、水洗水の各処理液が貯留される。処理装置本体１０には、左側の側方に入口１８が形成され、入口１８には、挿入ローラ対２０が設けられている。感光材料としてのフィルムＦ（フィルムＦの搬送路を鎖線で図示する）が、入口１８から処理装置本体１０内に供給されると、挿入ローラ対２０によって現像槽１２内へ挿入される。現像槽１２内には、現像液中に３対の液中ローラ対２２が設けられ、フィルムＦがそれら液中ローラ対２２によって現像液中に浸漬されてＵ字型に搬送され、それに伴い現像処理がなされる。次に、フィルムＦが現像槽１２から定着槽１４へ搬送され、更に定着槽１４から水洗槽１６へ搬送され、定着槽１４、水洗槽１６でもそれぞれ現像槽１２と同様に、３対の液中ローラ対２２によって定着液中、水洗液中にそれぞれ浸漬されて略Ｕ字型に搬送され、それに伴い、定着処理、水洗処理がなされる。
【００１８】
処理装置本体１０の右側の部分には、乾燥部２４が上方へ向けて突設されている。水洗槽１６から出たフィルムＦが右方から向きを変えて乾燥部２４を上方へ搬送され、それに伴い乾燥処理がなされる。乾燥部２４の上部には、左方へ開口した排出口２６が形成され、乾燥処理されたフィルムＦが排出口２６から機外の左方に排出される。
【００１９】
一方、処理装置本体１０上側には感材供給トレー２８が設けられ、処理装置本体１０の左側の側方にはオートフィーダ３０が設けられている。オートフィーダ３０は、上記入口１８に対向するとともに感材供給トレー２８の左方に形成された感材取り出し口３２に対向する。オートフィーダ３０は、感材取り出し口３２を介して感材供給トレー２８と連通する略Ｌ字型の基準プレート３２を備える。フィルムＦは、先端が基準プレート３２に当接するように、感材供給トレー２８から基準プレート３２へ跨がり、積み重ねられる。
【００２０】
感材供給トレー２８は、図２及び図４に示すように、上方から見て矩形に形成され、矩形４辺の中の感材取り出し口３２に対応する辺の部分を除き他の辺の部分は土手部５６が形成されている。土手部５６内のトレー底３４には、図４に示すように、フィルムＦ１、Ｆ２の大きさに応じて位置決めを行う位置決めマーク３６が施されている。
【００２１】
オートフィーダ３０では、図３に示すように、基準プレート３２にあるフィルムＦの先端部を吸盤３８によって吸着保持して持ち上げて、フィルムＦを１枚ずつ取り出し、そして、図１に示すように、取り出したフィルムＦを供給ローラ対４０によって挟持搬送する。これにより、フィルムＦは、反転されながら入口１８の内方側の挿入ローラ対２０へ向けて搬送される。
【００２２】
感材供給トレー２８は上部が開放されて、フィルムＦがその開放上部からトレー底２４上へ装填される。感材供給トレー２８の開放上部は、蓋４２で開閉自在とされる。蓋４２は感材排出トレーとなっており、蓋４２の上面の集積部４４には、図３に示すように、上記排出口２６から排出された処理済みのフィルムＦが集積される。フィルムＦが集積部４４へ排出される方向は、フィルムＦが感材取り出し口３２を通って感材供給トレー２８から取り出される方向と同方向とされる。
【００２３】
ここで、図５に示すように、蓋４２と感材供給トレー２８との間には、開閉手段を構成するヒンジ４６が設けられる。ヒンジ４６は回動軸４８を備えるとともに、鎖線で示すように回動軸４８の軸線（回動軸４８の軸線を４９で図示する）回りに互いに回動する一対の回動部５０、５２を備える。
【００２４】
蓋４２には、感材供給トレー２８の矩形４辺において感材供給トレー２８からのフィルムＦの引き出し方向と同方向とされ、蓋４２の集積部４４へのフィルムＦの排出方向（フィルムＦの引き出し方向、フィルムＦの排出方向は同じく矢印Ｃの向きとされる）に対して直角の方向で対向する辺の中の１の辺に相当する縁に取り付け座７０（蓋側支持部）が凹設されるとともに、他の辺に相当する蓋４２の縁にも取り付け座７２（蓋側支持部）が凹設されている。取り付け座７０、取り付け座７２には、ヒンジ４６の一方の回動部５０が着脱可能にボルト５４止めされる。また、感材供給トレー２８の土手部５６には、感材供給トレー２８の矩形４辺において感材供給トレー２８からのフィルムＦの引き出し方向と同方向とされた蓋４２の集積部４４へのフィルムＦの排出方向に対して直角の方向で対向する辺の中の１の辺に相当する部分に係合孔５８（トレー側支持部）が形成されるとともに、他の辺の部分に相当する部分に係合孔６０（トレー側支持部）が形成され、係合孔５８、係合孔６０内には、他方の回動部５２がピン状とされてそれが挿入抜去可能に係合される。
【００２５】
蓋４２は、取り付け座７０に回動部５０を取り付け、係合孔５８に回動部５２を挿入することにより、回動軸４８が、感材供給トレー２８の矩形４辺において感材供給トレー２８からのフィルムＦの引き出し方向、これと同方向とされた蓋４２の集積部４４へのフィルムＦの排出方向に対して直角の方向で対向する辺の中の１の辺に沿って位置される（図２の状態）。また、逆に図６に示すように、蓋部４２は、取り付け座７２に回動部５０を取り付け、係合孔６０に回動部５２を挿入することにより、回動軸４８が他の辺に沿って位置される。いずれの場合も、蓋４２が回動軸４８の軸線回りに回動自在に感材供給トレー４８に支持され、感材供給トレー４８の開放上部が開閉可能とされる。そして、取り付け座７０に回動部５０を取り付け、係合孔５８に回動部５０を挿入した場合と、逆に、取り付け座７２に回動部５０を取り付け、係合孔６０に回動部５０を挿入した場合とは、蓋４２の開閉方向が逆とされて異なる。
【００２６】
本実施の形態では、ヒンジ４６が２個設けられ、図４に示すように両ヒンジ４６の回動部５２に対応する２個の係合孔５８のうちの一方、また２個の係合孔６０のうちの一方は、長孔で形成され、回動部５２の係合孔５８、また係合孔６０への挿入を容易としている。
【００２７】
また、図２に示すように、コントローラ６２が有線で処理装置本体１０と接続されて設けられ、フィルムＦの処理操作について遠隔操作可能とされる。
【００２８】
なお、図１に示すように、土手部５６の上面と、それに対向する蓋４２の周囲下面とは、蓋４２の閉時に凹凸係合（凹凸係合の部位を７６で図示する）して感材供給トレー２８内の遮光が図られている。また、感材供給トレー２８によって、装置本体１０の内部の遮光が図られている。
【００２９】
上記構成によれば、蓋４２が開けられてフィルムＦが感材供給トレー２８内にその開放上部から装填され、装填後、蓋４２が閉められる。フィルムＦは、感材供給トレー２８の側方から取り出され、処理装置本体１０へ供給される。処理装置本体１０へ供給されたフィルムＦは処理装置本体１０の各処理槽１２、１４、１６で処理される。そして、フィルムＦは乾燥部２４で乾燥され、排出口２６から機外へ排出されて、蓋４２の上面の集積部４４に集積される。
【００３０】
蓋４２の回動軸４８の位置は、感材供給トレー２８の矩形４辺の中の１の辺に沿った位置と、これとは異なる他の辺に沿った位置とのいずれとすることもでき、それに応じて蓋４２の開閉方向が変わる。フィルムＦを感材供給トレー２８内へ装填する上でオペレータ側から見て少なくとも、蓋４２が奥側から手前側へ開くのは都合が悪い。蓋４２の開閉方向に応じて決定されるオペレータ側について、蓋４２の開閉方向を変えることにより、決定自由度を高めることができる。
【００３１】
オペレータ側を一旦、決定した後も、蓋４２の開閉方向を変えることにより、オペレータ側の変更が可能である。
【００３２】
オペレータ側が変更されても、蓋の開閉により自動的にオートフィーダの運転が開始される。また、そのオペレータ側から、コントローラ６２により表示確認することが可能である。
【００３３】
蓋４２の開閉方向を変えるための開閉手段としては、各種の手段が考えられるが、本実施の形態のように、ヒンジ４６の一方の回動部５０を支持する取り付け座を取り付け座７０から取り付け座７２へと異ならせ、それに応じて他方の回動部５２を支持する係合孔を係合孔５８から係合孔６０へと異ならせるだけで、簡単に開閉方向を変えることができる。これによれば、蓋４２の開閉方向の変更に関わらず蓋４２の配置向きは同じくされるが、それに限らず、蓋の開閉方向の変更によって蓋の配置向きが変わる構成も可能である。
【００３４】
蓋４２の回動軸４８の位置を、感材供給トレー２８の矩形４辺の中のいずれの辺にも沿って可能として、蓋４２の開閉方向を前後左右のいずれにも変更可能とすることができるが、フィルムＦの取り出し方向に対して、また、フィルムＦの取り出し方向と排出方向とが同方向とされた方向に対して直角の方向においてその直角の方向に限って蓋４２の開閉方向を変更することもできる。
【００３５】
フィルムＦの取り出し方向に対して、また、フィルムＦの取り出し方向と排出方向とが同方向とされたその同方向とされた方向に対して直角の方向にオペレータ側を取ることによって感材供給トレー２８への当接、また、感材供給トレー２８及び感材排出トレー４２への両当接が容易であり、フィルムＦの取り出し方向に対して、またフィルムＦの取り出し方向と排出方向とが同方向とされた方向に対して直角の方向であればその直角の方向のいずれの側をオペレータ側としても、蓋４２が手前側から奥側へ開くようにすることが可能である。
【００３６】
図２に示すように、取り付け座７０に回動部５０を取り付け、係合孔５８に回動部５０を挿入した場合には、フィルムＦの取り出し方向と排出方向とが右側から左側への方向とされる（オートフィーダが左側に位置し、排出口２６が右側に位置する）矢印Ｓ１の向きで操作すれば、蓋４２は矢印Ａの向きに手前側から奥側へ開き、逆に、図６に示すように、取り付け座７２に回動部５０を取り付け、係合孔６０に回動部５０を挿入した場合には、フィルムＦの取り出し方向と排出方向とが左側から右側への方向とされる（オートフィーダが右側に位置し、排出口２６が左側に位置する）矢印Ｓ２の向きで操作すれば、蓋４２は矢印Ｂの向きに手前側から奥側へ開く。
【００３７】
なお、図３に示すように、蓋４２の上面の集積部には、フィルムＦの排出方向に沿ってリブ７４が形成されている。リブ７４は、排出口２６から排出されるフィルムＦをスムーズに受け入れ、かつ、適当な位置で止めるように、フィルムＦの排出方向に沿って見て左右で非対称とされる形状が採られる。蓋４２の開閉方向の変更に関わらず蓋４２の配置向きが同じくされる場合には、そのような蓋４２の非対称は、蓋４２の開閉方向の変更前後で変わることなく維持される。
【００３８】
本発明の感光材料処理装置が、Ｘ−レイ用感材のような写真感光材料を処理する自動現像機に限らないのは勿論である。
【００３９】
【発明の効果】
以上に説明したように、本発明の感光材料処理装置では、オペレータ側の決定自由度を高めることができる。
【図面の簡単な説明】
【図１】本発明の一の実施の形態に係る感光材料装填機構が適用された感光材料処理装置の内部を、装置手前から見た図である。
【図２】感光材料処理装置を示す外観斜視図である。
【図３】感材供給トレーと蓋を示す縦断面図である。
【図４】感材供給トレーを示す平面図である。
【図５】ヒンジを示す斜視図である。
【図６】蓋の開閉方向を変更する場合を示す感光材料処理装置の外観斜視図である。
【符号の説明】
１０  処理装置本体
２８  感材供給トレー（トレー）
３０  オートフィーダ（感光材料供給装置）
４２  蓋
４６  ヒンジ（開閉手段）
４８  回動軸（開閉手段）
５０、５２  回動部（開閉手段）
５８、６０  係合孔（開閉手段、蓋側支持部）
６２  コントローラ
７０、７２  取り付け座（開閉手段、トレー側支持部）
Ｆ    フィルム（写真感光材料）
【図１】
0003643171.tif 000002
【図２】
0003643171.tif 000003
【図３】
0003643171.tif 000004
【図４】
0003643171.tif 000005
【図５】
0003643171.tif 000006
【図６】
0003643171.tif 000007